(57)【要約】  【課題】  輝度を正確に制御できる有機ＬＥＤ表示装置を提供する。  【解決手段】  有機ＬＥＤ表示装置は、有機ＬＥＤと電圧・電流変換回路をマトリックス状に配置して構成される表示手段１１と、電圧・電流変換回路の電圧・電流変換特性を決定する電圧・電流変換特性決定手段１２と、電圧・電流変換特性決定手段１２で決定された電圧・電流変換特性に基づいて輝度電圧を補正する輝度電圧補正手段１３とを含み、電圧・電流変換特性測定手段１２は、電圧・電流変換回路に参照電圧を印加する参照電圧印加手段１２１と、参照電圧印加手段１２１から参照電圧が印加されたときに電圧・電流変換回路を介して有機ＬＥＤに流れる電流を計測する電流計測手段１２２と、参照電圧と電流計測手段１２２で測定された電流とに基づいて電圧・電流変換特性を算出する電圧・電流変換特性算出手段１２３とを含む。【選択図】  図１
2007011205.tif 000002
【特許請求の範囲】
【請求項１】
有機ＬＥＤと前記有機ＬＥＤ発光時の輝度を制御する輝度電圧を前記有機ＬＥＤに供給する輝度電流に変換する電圧・電流変換回路とからなる画素回路を複数個マトリックス状に配置して構成される表示手段と、
前記電圧・電流変換回路のそれぞれの電圧・電流変換特性を決定する電圧・電流変換特性決定手段と、
前記電圧・電流変換回路に供給される前記輝度電圧を前記電圧・電流変換特性決定手段で決定された電圧・電流変換特性に基づいて補正する輝度電圧補正手段とを含む有機ＬＥＤ表示装置。
【請求項２】
前記電圧・電流変換特性決定手段が、
前記電圧・電流変換回路のそれぞれに、参照電圧を印加する参照電圧印加手段と、
前記参照電圧印加手段から参照電圧が印加されたときに、前記電圧・電流変換回路を介して前記有機ＬＥＤに流れる電流を計測する電流計測手段と、
前記参照電圧印加手段により印加された参照電圧と前記電流測定手段で測定された電流とに基づいて前記電圧・電流変換回路のそれぞれの電圧・電流変換特性を算出する電圧・電流変換特性算出手段とを含む請求項１に記載の有機ＬＥＤ表示装置。
【請求項３】
前記参照電圧印加手段が、前記電圧・電流変換回路のそれぞれに、互いに異なる少なくとも２つの参照電圧を印加するものであり、
前記電流計測手段が、前記少なくとも２つの参照電圧が印加されたときに、前記電圧・電流変換回路を介して前記有機ＬＥＤに流れる少なくとも２つの電流を計測するものであり、
前記電圧・電流変換特性算出手段が、前記参照電圧印加手段により印加された少なくとも２つの参照電圧と前記電流測定手段で測定された少なくとも２つの電流とに基づいて、前記電圧・電流変換特性を、電圧を独立変数、電流の開平値を従属変数とする１次関数で表したときの比例定数および電圧軸切片である閾値電圧を算出するものである請求項２に記載の有機ＬＥＤ表示装置。
【請求項４】
前記輝度電圧補正手段が、
前記輝度電圧を、前記電圧・電流変換特性算出手段で算出された電圧・電流変換特性と基準電圧・電流変換特性とに基づいて補正するものである請求項３に記載の有機ＬＥＤ表示装置。
【請求項５】
前記基準電圧・電流変換特性が、
前記電圧・電流変換特性算出手段で算出された電圧・電流変換特性に基づいて決定される請求項４に記載の有機ＬＥＤ表示装置。
【発明の詳細な説明】
【技術分野】
【０００１】
本発明は、有機ＬＥＤ表示装置に係り、特に、輝度を正確に制御することのできる有機ＬＥＤ表示装置に関する。
【背景技術】
【０００２】
有機ＬＥＤをマトリックス状に配置した表示装置で高輝度かつ高コントラストな画像を長時間にわたって安定に表示するためには、有機ＬＥＤをＴＦＴ（Thin Film Transistor）で構成される電圧・電流変換回路で能動駆動することが必要である。
【０００３】
有機ＬＥＤは有機ＬＥＤを流れる電流に応じた輝度で発光する特性を有するため、電界効果型トランジスタで輝度制御電圧を輝度制御電流に変換し、有機ＬＥＤに供給するものが一般的である。
【０００４】
しかし、電界効果型トランジスタの電圧・電流変換特性は、電界効果型トランジスタの閾値電圧および移動度により影響を受けるが、特に電界効果型トランジスタの閾値電圧の影響が顕著である。
【０００５】
このため、有機ＬＥＤの発光輝度は、電界効果型トランジスタの閾値電圧に大きく影響されることとなり、有機ＬＥＤ表示装置に含まれる電界効果型トランジスタの特性にバラツキがある場合には、同一の輝度電圧を印加した場合でも輝度が不均一となる課題があった。
【０００６】
上記課題を解決するために、既に下記のような電圧・電流変換回路が提案されている。
１．電界効果トランジスタの閾値電圧に対応する補償電圧を蓄積するコンデンサを電圧・電流変換回路中に設置する電圧プログラム回路
２．表示輝度に対応する電流を定電流源から供給し、表示輝度に対応する電流に対応したゲート電圧を蓄積するコンデンサを電圧・電流変換回路中に設置し、輝度のばらつきを抑制する電流プログラム回路
しかし、上記の電圧・電流変換回路にあっては、回路内にコンデンサおよびトランジスタを追設する必要があるため、表示装置における電圧・電流変換回路の占有面積が大きく、表示素子の占有面積が小さくなり、表示画面の分解能が低下するという新たな課題が生じる。
【０００７】
そこで、有機ＬＥＤ表示装置の輝度不均一を解決するために、各有機ＬＥＤに流れる電流を計測し、この電流計測値に応じて有機ＬＥＤへの電流供給時間を制御する有機ＬＥＤ表示装置も提案されている（例えば、特許文献１参照）。
【特許文献１】特開平１０−２５４４１０号公報（［００３９］〜［００４１］、図２）
【発明の開示】
【発明が解決しようとする課題】
【０００８】
しかしながら、上記提案に係る有機ＬＥＤ表示装置はパルス幅により輝度を制御するものであるため、多階調の輝度制御を行う場合には、電圧・電流変換回路の浮遊容量によりパルスが鈍り、所定の輝度で画像を表示できないという課題があった。
【０００９】
本発明は、従来の課題を解決するためになされたものであって、多階調の輝度制御を行う場合にも輝度を正確に制御できる有機ＬＥＤ表示装置を提供することを目的とする。
【課題を解決するための手段】
【００１０】
第１の発明に係る有機ＬＥＤ表示装置は、有機ＬＥＤと前記有機ＬＥＤ発光時の輝度を制御する輝度電圧を前記有機ＬＥＤに供給する輝度電流に変換する電圧・電流変換回路とからなる画素回路を複数個マトリックス状に配置して構成される表示手段と、前記電圧・電流変換回路のそれぞれの電圧・電流変換特性を決定する電圧・電流変換特性決定手段と、前記電圧・電流変換回路に供給される前記輝度電圧を前記電圧・電流変換特性決定手段で決定された電圧・電流変換特性に基づいて補正する輝度電圧補正手段とを含む構成を有している。
【００１１】
この構成により、電圧・電流変換回路の電圧・電流変換特性に基づき輝度電圧を補正し正確に輝度を制御できることとなる。
【００１２】
第２の発明に係る有機ＬＥＤ表示装置は、前記電圧・電流変換特性決定手段が、前記電圧・電流変換回路のそれぞれに、参照電圧を印加する参照電圧印加手段と、前記参照電圧印加手段から参照電圧が印加されたときに、前記電圧・電流変換回路を介して前記有機ＬＥＤに流れる電流を計測する電流計測手段と、前記参照電圧印加手段により印加された参照電圧と前記電流測定手段で測定された電流とに基づいて前記電圧・電流変換回路のそれぞれの電圧・電流変換特性を算出する電圧・電流変換特性算出手段とを含む構成を有している。
【００１３】
この構成により、電圧・電流変換回路ごとに電圧・電流変換特性を決定できることとなる。
【００１４】
第３の発明に係る有機ＬＥＤ表示装置は、前記参照電圧印加手段が、前記電圧・電流変換回路のそれぞれに、互いに異なる少なくとも２つの参照電圧を印加するものであり、前記電流計測手段が、前記少なくとも２つの参照電圧が印加されたときに、前記電圧・電流変換回路を介して前記有機ＬＥＤに流れる少なくとも２つの電流を計測するものであり、
前記電圧・電流変換特性算出手段が、前記電圧・電流変換特性算出手段が、前記参照電圧印加手段により印加された少なくとも２つの参照電圧と前記電流測定手段で測定された少なくとも２つの電流とに基づいて、前記電圧・電流変換特性を、電圧を独立変数、電流の開平値を従属変数とする１次関数で表したときの比例定数および電圧軸切片である閾値電圧を算出するものである構成を有している。
【００１５】
この構成により、互いに異なる少なくとも２つの参照電圧を印加したときに有機ＬＥＤに流れる電流を計測することにより、電圧・電流変換特性が、電圧を独立変数、電流を従属変数とする１次関数として決定されることとなる。
【００１６】
第４の発明に係る有機ＬＥＤ表示装置は、前記輝度電圧補正手段が、前記輝度電圧を、前記電圧・電流変換特性算出手段で算出された電圧・電流変換特性と基準電圧・電流変換特性とに基づいて補正する構成を有している。
【００１７】
この構成により、電圧・電流変換回路ごとに輝度電圧を補正できることとなる。
【００１８】
第５の発明に係る有機ＬＥＤ表示装置は、前記基準電圧・電流変換特性が、前記電圧・電流変換特性算出手段で算出された電圧・電流変換特性に基づいて決定される構成を有している。
【００１９】
この構成により、電圧・電流変換回路ごとの電圧・電流変換特性から基準電圧・電流変換特性を決定できることとなる。
【発明の効果】
【００２０】
本発明は、電圧・電流変換特性決定手段および輝度電圧補正手段を設けることにより、輝度を正確に制御できるという効果を有する有機ＬＥＤ表示装置を提供することができるものである。
【発明を実施するための最良の形態】
【００２１】
以下、本発明に係る有機ＬＥＤ表示装置の実施形態について、図面を用いて説明する。
（第１の実施形態）
本発明の第１の実施形態の有機ＬＥＤ表示装置のブロック図を図１に示す。
【００２２】
即ち、第１の実施形態の有機ＬＥＤ表示装置は、有機ＬＥＤと有機ＬＥＤを発光させる電流を供給する電圧・電流変換回路とからなる画素回路を複数個マトリックス状に配置して構成される表示手段１１と、電圧・電流変換回路のそれぞれの電圧・電流変換特性を決定する電圧・電流変換特性決定手段１２と、電圧・電流変換特性決定手段１２で決定された電圧・電流変換特性に基づいて輝度電圧を補正する輝度電圧補正手段１３とを含む。
【００２３】
電圧・電流変換特性測定手段１２は、電圧・電流変換回路のそれぞれに参照電圧を印加する参照電圧印加手段１２１と、参照電圧印加手段１２１から参照電圧が印加されたときに電圧・電流変換回路を介して有機ＬＥＤに流れる電流を計測する電流計測手段１２２と、参照電圧印加手段１２１により印加された参照電圧と電流測定手段１２２で測定された電流とに基づいて電圧・電流変換回路のそれぞれの電圧・電流変換特性を算出する電圧・電流変換特性算出手段１２３とを含む。
【００２４】
第１の実施形態の有機ＬＥＤ表示装置は、図２のハードウエア構成図に示すように、有機ＬＥＤと有機ＬＥＤを発光させる電流を供給する電圧・電流変換回路とからなる画素回路を複数個マトリックス状に配置して構成される表示パネル２１と、表示パネル２１の特定の列に参照電圧あるいは輝度電圧を供給する列選択部２２と、表示パネル２１の特定の行をアクティブにする行選択部２３と、有機ＬＥＤの共通接地線に挿入される電流測定用抵抗素子２４と、有機ＬＥＤ表示装置を制御する制御部２５とを含む。
【００２５】
制御部２５は、例えばマイクロプロセッサで構成され、有機ＬＥＤ表示装置制御プログラムを実行するＣＰＵ２５１と、有機ＬＥＤ表示装置制御プログラムを記憶するメモリ２５２と、外部回路から輝度電圧Ｖ（ｉ，ｊ）および電源オンオフ信号を入力する外部インターフェイス（Ｉ／Ｆ）２５３と、参照電圧または補正輝度電圧を出力するＤ／Ａ変換器２５４と、列選択部２２および行選択部２３に選択信号を出力する選択信号Ｉ／Ｆ２５５と、有機ＬＥＤを流れる電流を測定するために電流測定用抵抗素子２４の両端に発生する電圧をディジタル値に変換するＡ／Ｄ変換器２５６と、ＣＰＵ２５１、メモリ２５２、外部Ｉ／Ｆ２５３、Ｄ／Ａ変換器２５４、選択信号Ｉ／Ｆ２５５およびＡ／Ｄ変換器２５６を相互に接続するバス２５７とを含む。
【００２６】
図３は、表示パネル２１内でマトリックス状に配置される１つの画素回路３の回路図であって、画素回路３は、列選択部２２から延伸する１本の列選択線２２１にソースＳ１が接続され、行選択部２３から延伸する１本の行選択線２３１にゲートＧ１が接続される第１のＦＥＴ３１と、正極線２６にソースＳ２が接続され、第１のＦＥＴ３１のドレンＤ１にゲートＧ２が接続される第２のＦＥＴ３２と、第２のＦＥＴ３２のソースＳ２とゲートＧ２とに接続される保持コンデンサ３３とを含む電圧・電流変換回路３４と、第２のＦＥＴ３２のドレンＤ２と負極線２７との間に接続される有機ＬＥＤ３５とを備える。なお、負極線２７は、電流測定用抵抗素子２４を介して接地されている。
【００２７】
なお、図３に示す電圧・電流変換回路３４は一例であって、他の電圧・電流変換回路であっても、本願発明を適用することができる。
【００２８】
次に、本発明に係る有機ＬＥＤ表示装置の動作を説明する。
【００２９】
図４は、制御部２５が実行する有機ＬＥＤ表示装置制御プログラムのフローチャートであって、ＣＰＵ２５１は、まず、外部Ｉ／Ｆ２５３を介して有機ＬＥＤ表示装置の電源がオンであるか、オフであるかを判断する（ステップＳ４）。
【００３０】
ＣＰＵ２５１は、ステップＳ４で電源がオンからオフに遷移したと判断したときは電圧・電流変換特性決定ルーチンを実行し（ステップＳ５）、ステップＳ４で電源がオンであると判断したときは通常表示ルーチンを実行する（ステップＳ６）。
【００３１】
図５は、制御部２５が有機ＬＥＤ表示装置制御プログラムのステップＳ５で実行する電圧・電流変換特性決定ルーチンのフローチャートであって、ＣＰＵ２５１は、まず、表示パネル２１の行を選択する行選択インデックスｊを“１”に初期化する（ステップＳ５０）。
【００３２】
次に、ＣＰＵ２５１は、表示パネル２１の列を選択する列選択インデックスｉを“１”に初期化する（ステップＳ５１）。
【００３３】
そして、ＣＰＵ２５１は、電流測定ルーチンを実行し（ステップＳ５２）、さらに、電圧・電流変換特性算出ルーチンを実行する（ステップＳ５３）。
【００３４】
次に、ＣＰＵ２５１は、列選択インデックスｉが最大値Ｉに到達したか否かを判定し（ステップＳ５４）、列選択インデックスｉが最大値Ｉに到達していないと判定したときは、列選択インデックスｉをインクリメントして（ステップＳ５５）、ステップＳ５２の処理に戻る。
【００３５】
一方、ＣＰＵ２５１は、列選択インデックスｉが最大値Ｉに到達したと判定したときは、行選択インデックスｊが最大値Ｊに到達したか否かを判定する（ステップＳ５６）。
【００３６】
ＣＰＵ２５１は、行選択インデックスｊが最大値Ｊに到達していないと判定したときは、行選択インデックスｊをインクリメントして（ステップＳ５７）、ステップＳ５１の処理に戻る。
【００３７】
一方、ＣＰＵ２５１は、行選択インデックスｊが最大値Ｊに到達したと判定したときは、このルーチンを終了する。
【００３８】
図６は、制御部２５が電圧・電流変換特性決定ルーチンのステップＳ５２で実行する電流測定ルーチンのフローチャートであって、ＣＰＵ２５１は、まず、電流測定の実行回数を示す回数インデックスｍを“１”に初期化する（ステップＳ５２０）。
【００３９】
次に、ＣＰＵ２５１は、列インデックスｉを列選択部２２に、行インデックスｊを行選択部２３に、選択信号Ｉ／Ｆ２５５を介して出力する（ステップＳ５２１）。
【００４０】
ついで、ＣＰＵ２５１は、Ｄ／Ａ変換器２５４を介して列選択部２２の入力端子に第ｍ番目の参照電圧Ｖｒ（ｍ）を印加する（ステップＳ５２２）。
【００４１】
以下に、この状態における画素回路３の動作を、図３を参照しつつ説明する。
【００４２】
ＣＰＵ２５１が行インデックスｊを行選択部２３に出力すると、行選択線２３１がオン状態となって第１のＦＥＴ３１のゲートＧ１に電圧が印加され、第１のＦＥＴ３１が導通状態となる。
【００４３】
ＣＰＵ２５１が列インデックスｉを列選択部２２に出力すると、参照電圧Ｖr（ｍ）が第１のＦＥＴ３１のソースＳ１およびドレンＤ１を経由して第２のＦＥＴ３２のゲートＧ２に印加される。
【００４４】
すると、参照電圧Ｖr（ｍ）の関数として決定される電流が、正極線２６から第２のＦＥＴ３２のソースＳ２およびドレンＤ２を経て有機ＬＥＤ３５に流入し、有機ＬＥＤを発光させた後、負極線２７、電流測定用抵抗素子２４を経て、接地線に流出する。
【００４５】
以下、図６の電流測定ルーチンの説明に戻る。
【００４６】
ＣＰＵ２５１は、電流測定用抵抗素子２４の両端に発生した電圧ＶiをＡ／Ｄ変換器２５６を介して読み込み、電圧Ｖi（ｉ、ｊ、ｍ）として記憶する（ステップＳ５２３）。
【００４７】
ＣＰＵ２５１は、回数インデックスｍが最大値Ｍに到達したか否かを判定し（ステップＳ５２４）、回数インデックスｍが最大値Ｍに到達していないと判定したときは回数インデックスｍをインクリメントして（ステップＳ５２５）、ステップＳ５２１の処理に戻る。
【００４８】
一方、ＣＰＵ２５１は、回数インデックスｍが最大値Ｍに到達したと判定したときは、このルーチンを終了する。
【００４９】
図７は、制御部２５が電圧・電流変換特性決定ルーチンのステップＳ５３で実行する電圧・電流変換特性算出ルーチンのフローチャートであって、電流測定を２回実施し、電圧・電流変換回路（ｉ、ｊ）の電圧・電流変換特性を、［数１］に示すように電圧を独立変数、電流の開平値を従属変数とする１次関数で近似する場合について説明する。
【００５０】
【数１】
2007011205.tif 000003
【００５１】
ＣＰＵ２５１は、電流測定用抵抗素子２４の両端に発生した電圧Ｖi（ｉ、ｊ、１）を電流測定用抵抗素子２４の抵抗値Ｒrで除して、参照電圧Ｖr（１）を印加したときにｉ列ｊ行に配置された画素回路３に含まれる有機ＬＥＤ３５に流れる電流Ｉ1を算出する（ステップＳ５３０）。
【００５２】
次に、ＣＰＵ２５１は、電流測定用抵抗素子２４の両端に発生した電圧Ｖi（ｉ、ｊ、２）を電流測定用抵抗素子２４の抵抗値Ｒrで除して、参照電圧Ｖr（２）を印加したときにｉ列ｊ行に配置された画素回路３に含まれる有機ＬＥＤ３５に流れる電流Ｉ2を算出する（ステップＳ５３１）。
【００５３】
ＣＰＵ２５１は、［数２］を用いて、ｉ列ｊ行に配置された画素回路３に含まれる第２のＦＥＴ３２の電圧・電流変換特性の比例定数Ｋ（ｉ、ｊ）を算出する（ステップＳ５３２）。
【００５４】
【数２】
2007011205.tif 000004
【００５５】
次に、ＣＰＵ２５１は、［数３］を用いて、ｉ列ｊ行に配置された画素回路３に含まれる第２のＦＥＴ３２の電圧・電流変換特性の閾値電圧Ｖth（ｉ、ｊ）を算出して（ステップＳ５３３）、このルーチンを終了する。
【００５６】
【数３】
2007011205.tif 000005
【００５７】
以上で電圧・電流変換特性決定ルーチンの説明を終了し、通常表示時の補正方法について説明する。
【００５８】
図８は補正方法説明用グラフであって、横軸右方向に電圧・電流変換回路３４の第２のＦＥＴ３２のゲートＧ２に印加される電圧Ｖを、横軸左方向に第２のＦＥＴ３２のソースＳ２からドレンＤ２に向かって流れる電流Ｉを、縦軸に第２のＦＥＴ３２のソース・ドレン間電圧ＶSDをとる。
【００５９】
また、第１象限はゲート電圧Ｖ対ソース・ドレン間電圧ＶSD特性を示し、第２象限は−ソース・ドレン間電圧ＶSD対ドレン電流Ｉ特性を示す。
【００６０】
なお、第１象限のゲート電圧Ｖ対ソース・ドレン間電圧ＶSD特性のうち、実線は標準ＦＥＴの特性を、一点鎖線はｉ列ｊ行に配置された画素回路３に含まれる第２のＦＥＴ３２の特性を示す。
【００６１】
また、第２象限のソース・ドレン間電圧ＶSD対ドレン電流Ｉ特性は、ソース・ドレン間電圧ＶSDの１／２乗がドレン電流Ｉとなる曲線であり、第２のＦＥＴによるバラツキはないものとする。
【００６２】
従って、ｉ列ｊ行に配置された電圧・電流変換回路３４の閾値電圧Ｖth（ｉ、ｊ）および比例定数Ｋ（ｉ、ｊ）が定まれば、第２のＦＥＴ３２のゲート電圧Ｖ対ドレン電流Ｉ特性が［数４］のように定まる。
【００６３】
【数４】
2007011205.tif 000006
【００６４】
標準のＦＥＴの輝度電圧Ｖ対ソース・ドレン間電圧ＶSD特性は、［数５］で表されるものとする。
【００６５】
【数５】
2007011205.tif 000007
【００６６】
よって、標準のＦＥＴのゲートに電圧Ｖ（ｉ，ｊ）を印加したときに標準のＦＥＴのソースからドレンに向かって流れる電流Ｉdが、ｉ列ｊ行に配置された画素回路３に含まれる第２のＦＥＴ３２のゲートに電圧Ｖcを印加したときに第２のＦＥＴ３２のソースからドレンに向かって流れる電流となるように、電圧Ｖcを定めればよい。
【００６７】
図９は、制御部２５が有機ＬＥＤ表示装置制御プログラムのステップＳ６で実行する通常表示ルーチンのフローチャートであって、ＣＰＵ２５１は、まず、表示パネル２１の行を選択する行選択インデックスｊを“１”に初期化する（ステップＳ６０）。
【００６８】
次に、ＣＰＵ２５１は、表示パネル２１の列を選択する列選択インデックスｉを“１”に初期化する（ステップＳ６１）。
【００６９】
ＣＰＵ２５１は、ｉ列ｊ行の画素の輝度電圧Ｖ（ｉ，ｊ）を外部Ｉ／Ｆ２５３を介して読み込む（ステップＳ６２）。
【００７０】
そして、ＣＰＵ２５１は、［数６］に基づいて補正輝度電圧Ｖcを算出する（ステップＳ６３）。
【００７１】
【数６】
2007011205.tif 000008
【００７２】
次に、ＣＰＵ２５１は、列インデックスｉを列選択部２２に、行インデックスｊを行選択部２３に、選択信号Ｉ／Ｆ２５５を介して出力する（ステップＳ６４）。
【００７３】
そして、ＣＰＵ２５１は、補正輝度電圧Ｖcを出力する（ステップＳ６５）。
【００７４】
次に、ＣＰＵ２５１は、列選択インデックスｉが最大値Ｉに到達したか否かを判定し（ステップＳ６６）、列選択インデックスｉが最大値Ｉに到達していないと判定したときは、列選択インデックスｉをインクリメントして（ステップＳ６７）、ステップＳ６２の処理に戻る。
【００７５】
一方、ＣＰＵ２５１は、列選択インデックスｉが最大値Ｉに到達したと判定したときは、行選択インデックスｊが最大値Ｊに到達したか否かを判定する（ステップＳ６８）。
【００７６】
ＣＰＵ２５１は、行選択インデックスｊが最大値Ｊに到達していないと判定したときは、行選択インデックスｊをインクリメントして（ステップＳ６９）、ステップＳ６１の処理に戻る。
【００７７】
一方、ＣＰＵ２５１は、行選択インデックスｊが最大値Ｊに到達したと判定したときは、このルーチンを終了する。
【００７８】
以上説明したように、第１の実施形態によれば、表示パネルに配置される各画素回路の電圧・電流変換特性を測定し、この電圧・電流変換特性に応じて輝度電圧を補正することにより、電圧・電流変換特性のバラツキに起因する輝度のバラツキを補正することができる。
（第２の実施形態）
第１の実施形態にあっては、標準のＦＥＴの輝度電圧Ｖ対ソース・ドレン間電圧ＶSD特性は予め定められているものとしているが、理論的に決定されたものであるので実際の特性とは一致しない場合もある。
【００７９】
第２の実施形態は、この課題を解決するものであって、電流測定結果に基づいて標準のＦＥＴの輝度電圧Ｖ対ソース・ドレン間電圧ＶSD特性を決定する。
【００８０】
図１０は、第２の実施形態で使用される第２の電圧・電流変換特性決定ルーチンのフローチャートであって、ステップＳ５３とステップＳ５４の間に基準特性決定ルーチン（ステップＳ７）が挿入される。
【００８１】
図１１は、基準電圧・電流変換特性決定ルーチンのフローチャートであって、表示パネルを構成する複数の画素回路の輝度電圧Ｖ対ソース・ドレン間電圧ＶSD特性の平均特性を標準の輝度電圧Ｖ対ソース・ドレン間電圧ＶSD特性とする場合を示している。
【００８２】
まず、ＣＰＵ２５１は、［数７］により図７に示す電圧・電流変換特性算出ルーチンのステップＳ５３２で算出された比例定数の平均値を標準の輝度電圧Ｖ対ソース・ドレン間電圧ＶSD特性の比例定数とする（ステップＳ７０）。
【００８３】
【数７】
2007011205.tif 000009
【００８４】
次に、ＣＰＵ２５１は、［数８］により図７に示す電圧・電流変換特性算出ルーチンのステップＳ５３３で算出された閾値電圧の平均値を標準の輝度電圧Ｖ対ソース・ドレン間電圧ＶSD特性の閾値電圧とする（ステップＳ７１）。
【００８５】
【数８】
2007011205.tif 000010
【００８６】
以上説明したように、第２の実施形態によれば、実際の表示パネルに基づいて標準の輝度電圧Ｖ対ソース・ドレン間電圧ＶSD特性を決定することが可能となる。
【図面の簡単な説明】
【００８７】
【図１】本発明に係る有機ＬＥＤ表示装置の実施形態のブロック図
【図２】本発明に係る有機ＬＥＤ表示装置のハードウエア構成のブロック図
【図３】本発明に係る有機ＬＥＤ表示装置中の１つの画素回路のハードウエア構成のブロック図
【図４】本発明に係る有機ＬＥＤ表示装置のＣＰＵで実行される有機ＬＥＤ表示装置制御プログラムのフローチャート
【図５】本発明に係る有機ＬＥＤ表示装置のＣＰＵで実行される電圧・電流変換特性決定ルーチンのフローチャート
【図６】本発明に係る有機ＬＥＤ表示装置のＣＰＵで実行される電流測定ルーチンのフローチャート
【図７】本発明に係る有機ＬＥＤ表示装置のＣＰＵで実行される電圧・電流変換特性算出ルーチンのフローチャート
【図８】本発明に係る有機ＬＥＤ表示装置における補正方法を説明するグラフ
【図９】本発明に係る有機ＬＥＤ表示装置のＣＰＵで実行される通常表示ルーチンのフローチャート
【図１０】本発明に係る有機ＬＥＤ表示装置のＣＰＵで実行される第２の電圧・電流変換特性決定ルーチンのフローチャート
【図１１】本発明に係る有機ＬＥＤ表示装置のＣＰＵで実行される基準電圧・電流変換特性決定ルーチンのフローチャート
【符号の説明】
【００８８】
１１  表示手段
１２  電圧・電流変換特性決定手段
１３  輝度電圧補正手段
１２１  参照電圧印加手段
１２２  電流計測手段
１２３  電圧・電流変換特性算出手段
【図１】
2007011205.tif 000011
【図２】
2007011205.tif 000012
【図３】
2007011205.tif 000013
【図４】
2007011205.tif 000014
【図５】
2007011205.tif 000015
【図６】
2007011205.tif 000016
【図７】
2007011205.tif 000017
【図８】
2007011205.tif 000018
【図９】
2007011205.tif 000019
【図１０】
2007011205.tif 000020
【図１１】
2007011205.tif 000021